(57)【特許請求の範囲】
【請求項１】
建物の入口にて位置付ける少なくとも二つの支持棒と、
洪水バリアを形成するために、一対の支持棒の間に取り外し自在に配置される少なくとも一つのパネルと、
前記少なくとも一つのパネルを前記少なくとも二つの支持棒に取り外し自在に固定するために配置される一対のファスナと含み、前記一対のファスナは前記少なくとも一つのパネルの最上位置にあり、
前記パネルは、当該パネルの第１の対向する縁部にて配置される第１の複数のシールと、当該パネルの第２の対向する縁部にて配置される第２の複数のシールとを含み、前記第１及び第２の複数のシールは波形表面を有し、
前記第１の複数のシールは前記支持棒と整合するように配置され、前記第２の複数のシールの一つは、前記第１及び第２の複数のシールの収縮の際に、前記建物内への洪水の流入に対する防水の配置を設けるために、入口の床と整合するように配置され、
使用中に、前記一対のファスナは、前記第２の複数のシールのうちの一つを圧縮して防水の配置を設けるように、前記入口の床に向かう方向に前記少なくとも一つのパネルに下向きの力を加えるように配置される、
洪水バリア。
【請求項２】
前記支持棒は取り外し自在に適用される、請求項１に記載の洪水バリア。
【請求項３】
各シールは、停止状態において、概略Ｄ字型の断面を備える、請求項１〜２のうちのいずれか一に記載の洪水バリア。
【請求項４】
各シールは、熱可塑性の加硫物（ＴＰＶ）のエチレンプロピレンジエンモノマ（ＥＰＤＭ）のシールである、請求項１〜３のうちのいずれか一に記載の洪水バリア。
【請求項５】
各シールは、−４０℃と１３０℃との間の使用温度範囲を有する、請求項４に記載の洪水バリア。
【請求項６】
各ファスナはフック部に移動自在に結合されるレバー部を含み、
使用中に、前記ファスナは、前記パネルの対向する端部にて配置されて、それぞれのフック部は、関連する支持棒のそれぞれのフックプレートと係合され、前記レバー部は、前記パネルを前記支持棒に固定するために、フック部にテンションをかけるように操作される、
請求項１に記載の洪水バリア。
【請求項７】
前記少なくとも一つのパネルは、洪水バリアを形成するために、協働して配置される複数のパネルを含む、請求項１〜６のうちのいずれか一に記載の洪水バリア。
【請求項８】
前記パネルは、１５．７５０ｋｇ／ｍ２の最大水圧に耐えるように構成される、請求項１〜７のうちのいずれか一に記載の洪水バリア。
【請求項９】
各パネルは、長手方向の軸に平行である、前記パネルの第２の対向する縁部にてそれぞれ配置される雄部及び雌部を含む、請求項７に記載の洪水バリア。
【請求項１０】
前記複数のパネルは、前記関連する雄部及び雌部を用いて、前記パネルのうちの別のパネルに取り外し自在に取り付けられ得るように各々構成される、請求項９に記載の洪水バリア。
【請求項１１】
前記パネルは、ハニカム形状の構造体を備えるように、内部的に構成される、請求項１〜１０のうちのいずれか一に記載の洪水バリア。
【請求項１２】
前記パネルは、押出アルミニウムで形成されて厚さが約４ｍｍである、請求項１１に記載の洪水バリア。
【請求項１３】
前記少なくとも二つの支持棒は、第１及び第２の支持棒と、前記第１及び第２の支持棒の間に位置付ける少なくとも一つの第３の支持棒とを含み、これにより、前記パネルは、洪水バリアを形成するために複数対の前記支持棒の間に受け止められるように配置される、請求項７に記載の洪水バリア。
【請求項１４】
前記第３の支持棒は、取り外し自在であるように適用される、請求項１３に記載の洪水バリア。
【請求項１５】
前記入口の床にて位置付ける敷居プレートをさらに含む、請求項１〜１４のうちのいずれか一に記載の洪水バリア。
【請求項１６】
少なくとも二つの支持棒と、少なくとも一つのパネルと、一対のファスナとを含む洪水バリアを操作する方法であって、当該方法は、
建物の入口にて位置付けられるように、前記二つの支持棒を配置するステップと、
前記洪水バリアを形成するために、一対の前記支持棒の間に前記パネルを取り外し自在に配置するステップと、
前記少なくとも一つのパネルを前記少なくとも二つの支持棒に取り外し自在に固定するために前記一対のファスナを配置するステップであって、前記一対のファスナは前記少なくとも一つのパネルの最上位置にあるステップを含み、
前記パネルは、当該パネルの第１の対向する縁部にて配置される第１の複数のシールと、当該パネルの第２の対向する縁部にて配置される第２の複数のシールとを含み、前記第１及び第２の複数のシールは波形表面を有し、
前記第１の複数のシールは前記支持棒と整合するように配置され、前記第２の複数のシールの一つは、前記第１及び第２の複数のシールの収縮の際に、前記建物内への洪水の流入に対する防水の配置を設けるために、入口の床と整合するように配置され、
使用中に、前記一対のファスナは、前記第２の複数のシールのうちの一つを圧縮して防水の配置を設けるように、前記入口の床に向かう方向に前記少なくとも一つのパネルに下向きの力を加えるように配置される、
方法。
【請求項１７】
建物の入口にて位置付ける少なくとも二つの支持棒と、
洪水バリアを形成するために一対の支持棒の間に取り外し自在に配置される少なくとも一つのパネルと、
一対のファスナであって、各ファスナはフック部に移動自在に結合されるレバー部を含む、一対のファスナと、を含み、
使用中に、前記ファスナは、前記パネルの対向する端部にて配置され、それぞれのフック部は、関連する支持棒のそれぞれのフックプレートと係合され、前記レバー部は、前記パネルを前記支持棒に固定するために、前記フック部にテンションをかけるように操作され、
使用中に、前記一対のファスナは、防水の配置を設けるように、入口の床に向かう方向に前記少なくとも一つのパネルに下向きの力を加えるように配置される、
洪水バリア。
【請求項１８】
少なくとも二つの支持棒と、少なくとも一つのパネルと、一対のファスナであって、各ファスナはフック部に移動自在に結合されるレバー部を含む、一対のファスナと、を含む、洪水バリアを操作する方法であって、当該方法は、
建物の入口にて位置付けられるように前記二つの支持棒を配置するステップと、
洪水バリアを形成するために、一対の前記支持棒の間に少なくとも一つのパネルを取り外し自在に配置するステップと、
前記パネルの対向する端部にて前記ファスナを配置して、前記関連する支持棒のそれぞれのフックプレートとそれぞれのフック部を係合するステップと、
前記パネルを前記支持棒に固定するために、前記フック部にテンションをかけるように前記レバー部を操作するステップと、を含み、
前記一対のファスナは、防水の配置を設けるように、入口の床に向かう方向に前記少なくとも一つのパネルに下向きの力を加えるように配置される、
方法。
【請求項１９】
前記少なくとも二つの支持棒は、前記入口にて配置されることを含む、請求項１〜１５、又は請求項１７のうちのいずれか一に記載の洪水バリア。
【発明の詳細な説明】
【技術分野】
【０００１】
本発明は、洪水バリア及び洪水バリアを操作する方法に関する。
【背景技術】
【０００２】
地球温暖化のために、降雨天候パターンの変動が世界の多くの場所で見られた。一部の区域では長期的な干ばつに見舞われ、他の区域では鉄砲水を引き起こす傾向がある激しい突然の暴風雨に見舞われた。鉄砲水は、「通常は、比較的小さい地域に亘る激しい降雨の結果、ほとんど又はまったく予兆無しに、急速に増加して減少する洪水」と定義することができる。現代技術の普及にも関わらず、依然として社会は鉄砲水に脆弱であり、ますます多くの都市が大都市になり、都市化により経済がますます成長している場合は特に脆弱である。従って、鉄砲水が発生すると、財産やインフラへの広範囲の被害が生じるだけでなく、多くの人々の生命を奪うことがあり、経済的損失を被ることがある。
【発明の概要】
【発明が解決しようとする課題】
【０００３】
しかしながら、より広い排水路を構築することによって鉄砲水に対処するように通常採用される従来の対策は、所定の区域に亘って降り注ぐと予報される降雨の総量の観点で、地球温暖化によって引き起こされる降雨パターンの予測が不可能であることから、効果的ではなかった。
【０００４】
それ故、本発明の一つの目的は、先行技術の課題の少なくとも一つに対処し、及び／又は当該技術において有用である選択肢を提供することである。
【課題を解決するための手段】
【０００５】
本発明の第１の態様によれば、洪水バリアが提供され、前記洪水バリアは、建物の入口にて位置付ける少なくとも二つの支持棒と、前記洪水バリアを形成するために、一対の支持棒の間に取り外し自在に配置される少なくとも一つのパネルと、を含み、ここで、前記パネルは、建物への洪水の流入に対する防水の配置を設けるために、支持棒と整合するように波形表面を有する複数のシールを含む。波形表面を伴うシールが、洪水の侵入から保護するための（支持棒の関連する接触面に作用する）複数のバリアを示すので、提案された洪水バリアは有利である。さらに、洪水の圧力がパネルを押圧すると、シールも支持棒の接触面に対してより高い力を弾力的におよぼして、支持棒とのより密接なシーリングをもたらす。さらに、波形表面は、パネルが支持棒へ差し込まれているときの摩擦を低減するのに役立つ。
【０００６】
好ましくは、支持棒は取り外し自在に適用される。
【０００７】
好ましくは、各シールは、停止状態において、概略Ｄ字形の断面積を備える。各シールは、熱可塑性の加硫物（ＴＰＶ）のエチレンプロピレンジエンモノマ（ＥＰＤＭ）のシールであってもよい。さらに、各シールは、−４０℃と１３０℃の間の使用温度範囲を有し得る。
【０００８】
好ましくは、洪水バリアは、パネルを支持棒に取り外し自在に固定するように配置される一対のファスナをさらに含む。
【０００９】
好ましくは、各ファスナは、フック部に移動自在に結合されるレバー部を含み、使用中に、当該ファスナは、パネルの対向する端部にて配置されて、それぞれのフック部は、関連する支持棒のそれぞれのフックプレートと係合され、前記レバー部は、前記パネルを支持棒に固定するために、フック部にテンションをかけるように操作される。
【００１０】
好ましくは、少なくとも一つのパネルは、洪水バリアを形成するために、協働して配置される複数のパネルを含む。パネルは、１５．７５０ｋｇ／ｍ２の最大水圧に耐えるように構成され得る。
【００１１】
また、各パネルは、長手方向の軸に平行である、前記パネルの対向する縁部にてそれぞれ配置される雄部及び雌部を好適に含み得る。好ましくは、複数のパネルは、関連する雄部及び雌部を用いて、前記パネルのうちの別のパネルに取り外し自在に取り付けられるように各々構成される。
【００１２】
好ましくは、複数のシールは、関連するパネルの縁部にて配置される。さらに、パネルは、ハニカム形状の構造体を備えるように、内部的に構成され得る。さらに好ましくは、パネルは、押出アルミニウムで形成され、約４ｍｍの厚さである。
【００１３】
好ましくは、少なくとも二つの支持棒は、第１及び第２の支持棒と、第１及び第２の支持棒の間に位置付ける少なくとも一つの第３の支持棒とを含み、このことによって、パネルは、洪水バリアを形成するために複数対の支持棒の間に受け止められるように配置される。第３の支持棒は、取り外し自在であるように適用され得る。
【００１４】
好ましくは、洪水バリアは、入口の床にて位置付ける敷居プレートをさらに含む。
【００１５】
本発明の第２の態様によれば、少なくとも二つの支持棒と、少なくとも一つのパネルとを含む洪水バリアを操作する方法が提供され、当該方法は、建物の入口にて位置付けられるように、二つの支持棒を配置するステップと、前記洪水バリアを形成するために、一対の支持棒の間に前記パネルを取り外し自在に配置するステップと、を含み、ここで、前記パネルは、建物への洪水の流入に対する防水の配置を設けるために、前記支持棒と整合するように波形表面を有する複数のシールを含む。
【００１６】
本発明の第３の態様によれば、洪水バリアが提供され、前記洪水バリアは、建物の入口にて位置付ける少なくとも二つの支持棒と、前記洪水バリアを形成するために一対の支持棒の間に取り外し自在に配置される少なくとも一つのパネルと、一対のファスナであって、各ファスナはフック部に移動自在に結合されるレバー部を含む、一対のファスナと、を含み、使用中に、前記ファスナは、パネルの対向する端部にて配置され、それぞれのフック部は、関連する支持棒のそれぞれのフックプレートと係合され、前記レバー部は、パネルを支持棒に固定するために、フック部にテンションをかけるように操作される。
【００１７】
ファスナを用いるということは、（パネルの縦方向の縁部に設けられた）波形表面を伴うシールを、入口の床に向かう方向に押圧することであることが理解されるべきである。
【００１８】
本発明の第４の態様によれば、少なくとも二つの支持棒と、少なくとも一つのパネルと、一対のファスナであって、各ファスナはフック部に移動自在に結合されるレバー部を含む、一対のファスナと、を含む、洪水バリアを操作する方法が提供され、当該方法は、建物の入口にて位置付けられるように二つの支持棒を配置するステップと、前記洪水バリアを形成するために、一対の支持棒の間に少なくとも一つのパネルを取り外し自在に配置するステップと、パネルの対向する端部にてファスナを配置して、関連する支持棒のそれぞれのフックプレートとそれぞれのフック部を係合するステップと、パネルを支持棒に固定するために、フック部にテンションをかけるようにレバー部を操作するステップとを含む。
【００１９】
好ましくは、少なくとも二つの支持棒は、前記入口にて配置されることを含む。
【００２０】
本発明の一態様に関する特徴は、本発明の他の態様にも適用可能であってもよいことが明らかになるであろう。
【００２１】
本発明のこれらの及び他の態様は、以下に記載する実施形態から明らかになり、当該実施形態を参照して解明される。
【００２２】
本発明の実施形態は、以下の添付の図面を参照して以下に開示される。
【図面の簡単な説明】
【００２３】
【図１Ａ】図１Ａは、一実施形態に係る、洪水バリアの正面図である。
【図１Ｂ】図１Ｂは、図１Ａの線Ａ−Ａに沿って得られる洪水バリアの断面図である。
【図１Ｃ】図１Ｃは、図１Ｂの部分Ａの拡大図である。
【図１Ｄ】図１Ｄは、図１Ｂの部分Ｂの拡大図である。
【図１Ｅ】図１Ｅは、図１Ａの部分Ｃの拡大図である。
【図１Ｆ】図１Ｆは、図１Ａの部分Ｄの拡大図である。
【図２Ａ】図２Ａは、図１Ａの線Ｃ−Ｃに沿って得られる洪水バリアの断面図である。
【図２Ｂ】図２Ｂは、図２Ａの部分Ｅの拡大図である。
【図２Ｃ】図２Ｃは、図２Ａの部分Ｆの拡大図である。
【図２Ｄ】図２Ｄは、図１Ａの線Ｃ−Ｃの方向からの等角図である。
【図２Ｅ】図２Ｅは、図２Ｄの部分Ｆ’の拡大図である。
【図３Ａ】図３Ａは、図１Ａの線Ｂ−Ｂに沿って得られる洪水バリアの断面図である。
【図３Ｂ】図３Ｂは、図３Ａの部分Ｇの拡大図である。
【図３Ｃ】図３Ｃは、図３Ａの部分Ｈの拡大図である。
【図４Ａ】図４Ａは、洪水バリアを操作する方法の第１のステップを示し、当該ステップにおいて、洪水バリアは、建物の入口にて配備することができる。
【図４Ｂ】図４Ｂは、図４Ａの部分Ｉの拡大図である。
【図４Ｃ】図４Ｃは、図４Ａの部分Ｊの拡大図である。
【図５Ａ】図５Ａは、洪水バリアを操作する前記方法の第２のステップを示す。
【図５Ｂ】図５Ｂは、図５Ａの部分Ｋの拡大図である。
【図５Ｃ】図５Ｃは、図５Ａの部分Ｌの拡大図である。
【図６Ａ】図６Ａは、別の実施形態に基づくが、洪水バリアを操作する前記方法の第２のステップをなお示す。
【図６Ｂ】図６Ｂは、図６Ａの部分Ｍの拡大図である。
【図６Ｃ】図６Ｃは、図６Ａの部分Ｎの拡大図である。
【図７Ａ】図７Ａは、洪水バリアを操作する前記方法の第３のステップを示す。
【図７Ｂ】図７Ｂは、図７Ａの部分Ｏの拡大図である。
【図７Ｃ】図７Ｃは、図７Ａの部分Ｐの拡大図である。
【図８】図８は、洪水バリアを操作する前記方法の第４のステップを示す。
【図９Ａ】図９Ａは、洪水バリアを操作する前記方法の第５のステップを示す。
【図９Ｂ】図９Ｂは、図９Ａの部分Ｑの拡大図である。
【図９Ｃ】図９Ｃは、図９Ａの部分Ｒの拡大図である。
【図１０Ａ】図１０Ａは、洪水バリアを操作する前記方法の第６のステップを示す。
【図１０Ｂ】図１０Ｂは、図１０Ａの部分Ｓの拡大図である。
【図１０Ｃ】図１０Ｃは、図１０Ａの部分Ｔの拡大図である。
【図１１Ａ】図１１Ａは、洪水バリアを操作する前記方法の第７のステップを示す。
【図１１Ｂ】図１１Ｂは、図１１Ａの部分Ｕの拡大図である。
【図１１Ｃ】図１１Ｃは、図１１Ａの部分Ｖの拡大図である。
【図１２】図１２は、洪水バリアを操作する前記方法の第８のステップを示す。
【発明を実施するための形態】
【００２４】
図１Ａは、一実施形態に係る、洪水が侵入することに対する保護のための、提案された洪水バリア１００の正面図を示す。以下の説明から明らかになる理由により、洪水バリア１００は、手動積載可能水門とも呼ばれ得る。図１Ｂは、図１Ａの線Ａ−Ａに沿って得られる洪水バリア１００の断面図である。図１Ｃ〜１Ｆは、図１Ａ及び図１Ｂのそれぞれの選択された部分の拡大図を強調している。洪水バリア１００は、建物を洪水から保護するために建物の入口、例えば、図１Ａに示すような入口１０２、にて設置可能であると想定されるが、洪水バリア１００は、必要に応じて、任意の設備における所定位置に容易に設置され得ることも理解されるべきである。好ましいことに、洪水バリア１００は、従来の洪水バリアと通常関連する複数の固定／締め付け装置の使用を要求しない。
【００２５】
具体的に、洪水バリア１００は、以下の構成要素を含む。（支柱としても知られている）少なくとも二つの垂直な（第１及び第２の）支持棒１０４ａ，１０４ｂ、（ベースプレートとしても知られている）敷居プレート１０６、並びに、少なくとも一つのモジュール式の水門パネル１０８（以下、パネル）。この実施形態のために、少なくとも一つのパネル１０８は、第１及び第２のセットのパネル１０８ａ，１０８ｂを含むが、そのような配置にのみ限定的に解釈されるべきではないことは理解されるべきである。この場合、各セットのパネル１０８ａ，１０８ｂは、５枚のパネル１０８を含むが、各セットのパネル１０８ａ，１０８ｂに用いられるパネル１０８の数は、設置されるパネル１０８を支持棒１０４ａ，１０４ｂによって支持することができる限り、（変化する）洪水の状態に適応する別の実施形態においては柔軟に異なり得る（即ち、選択的な設置）。
【００２６】
（例えば）ステンレス鋼で形成される敷居プレート１０６は、入口１０２の床に位置決めされる縦長の凹部に配置され、（例えば）石造りのアンカを用いて、所定位置に通常固定される（即ち、メンテナンス目的でない限りは通常取り外されない）。所定位置において、敷居プレート１０６は床と同じ高さにある。具体的には、縦長の凹部は、入口１０２の幅に亘って位置決めされ、よって、敷居プレート１０６は、洪水バリア１００が配備されるべきである入口１０２の全幅に延在するように構成される。敷居プレート１０６には、その長手の二つの対向する端部において、取り外しのためにフリップオープンされ又はクローズされ得るそれぞれの（第１及び第２の）カバープレート１１０ａ，１１０ｂ（図４Ｂ参照）も配置される。各カバープレート１１０ａ，１１０ｂは、実質的に矩形状を備えてステンレス鋼で作られ、その取り外しを容易にするためのノッチが設けられる。カバープレート１１０ａ，１１０ｂが取り外されるとき、（それぞれのカバープレート１１０ａ，１１０ｂの下に隠れている）凹部の関連する部分へのアクセスが結果的に許容され、それぞれの支持棒１０４ａ，１０４ｂが取り付けられるようになる。図１Ｅは、第１のカバープレート１１０ａを取り外した後に露出する凹部にて床に取り付けられる第１の支持棒１０４ａを示す、図１Ａの部分Ｃの拡大図である。
【００２７】
支持棒１０４ａ，１０４ｂは、パネル１０８ａ，１０８ｂを支持棒１０４ａ，１０４ｂの間に差し込むことによって、パネル１０８ａ，１０８ｂが支持棒１０４ａ，１０４ｂの間に受け止められ得るように配置される。具体的には、パネル１０８ａ，１０８ｂの横方向の縁部は、前記差し込みの際のパネル１０８ａ，１０８ｂを、支持棒１０４ａ，１０４ｂのスロット内にガイドする。当然のことながら、支持棒１０４ａ，１０４ｂの間に受け止められる第１のパネルとして規定されるベースパネル１０８は、ベースパネル１０８の縦方向の縁部を介して敷居プレート１０６に当接し、このとき、当該パネル１０８は、敷居パネル１０６の長手方向の軸に平行である。
【００２８】
支持棒１０４ａ，１０４ｂは、建物の構造物、例えば、図１Ａに示す入口１０２の壁（又は柱）１１２の所定位置に、適宜取り外し自在であるように又は恒久的に取り付けられるように適用される。図１Ｃは、壁１１２に取り付けられる第１の支持棒１０４ａの頂部から見た、図１Ｂの部分Ａの拡大図である。支持棒１０４ａ，１０４ｂが壁１１２に恒久的に取り付けられるならば、当該支持棒１０４ａ，１０４ｂは、シリコーンマスチックシーリング材１１４の層で適切に補強されて、壁１１２と整合する支持棒１０４ａ，１０４ｂの縁部を介した洪水の侵入を防止する。一方で、支持棒１０４ａ，１０４ｂが取り外し自在に構成されるならば、壁１１２の表面は洪水の入口１０２への侵入から保護するのに十分に平坦ではないこともあるので、支持棒１０４ａ，１０４ｂは、前記シリコーンマスチックシーリング材１１４の層の代わりに、壁１１２に作用するための波形表面を有する複数層のシール１１６で補強されて、防水の配置を形成する。この実施形態で用いられるシール１１６は、（−４０℃と１３０℃との間の使用温度範囲を有する）熱可塑性の加硫物（ＴＰＶ）タイプのエチレンプロピレンジエンモノマ（ＥＰＤＭ）のシールであるが、他の適当なシールも用いられ得るので、限定的に解釈されるべきではない。この場合、洪水バリア１００は屋外環境に配備されるので、ＴＰＶタイプのＥＰＤＭのシール１１６が、紫外線／オゾンに対するその強い耐性のために採用される。シール１１６は、過酷な環境要因に耐えることができないネオプレン、及び／又は他の耐水性膜で作られるべきではないことも理解されるべきである。
【００２９】
この実施形態では、支持棒１０４ａ，１０４ｂは、手で締め付けられるネジ山付きクロスノブ１１３を用いて壁１１２に取り外し自在に固定される（しかし、他の適切な固定手段も用いられ得る）。構造的完全性、腐食防止性、及び摩擦低減／平滑性のために、二つの支持棒１０４ａ，１０４ｂは、容易に腐食し得る鋼、又は容易に変形し得る／損傷し得るアルミニウムではなく、３ｍｍの最小厚さを有するステンレス鋼から作成される。
【００３０】
入口１０２の幅は、各パネル１０８の構成された長さよりも大幅に広いこともあるので、入口１０２の幅によっては、中間支持棒１０４ｃが求められてもよい。これは、中間支持棒１０４ｃが第１及び第２の支持棒１０４ａ，１０４ｂの間に配置される、図１Ａに示す場合である。同様に、中間支持棒１０４ｃは、適宜取り外し自在であるように、又は恒久的に所定位置に取り付けられるように適用される。中間支持棒１０４ｃが取り外し自在であるように構成されるならば、中間支持棒１０４ｃは、手で締め付けられるネジ山付きクロスノブ１１３も用いて入口１０２の床に固定することができる。この実施形態において、敷居プレート１０６は、敷居プレート１０６の中央に位置付けされる中間カバープレート１１０ｃも含み、中間支持棒１０４ｃを入口１０２の床に取り付け自在であるようにすることを可能にする（即ち、図１Ａの部分Ｄの拡大図を示す図１Ｆを参照のこと）。特に、図１Ａに示すように、第１の支持棒１０４ａ及び中間支持棒１０４ｃは、第１のセットのパネル１０８ａを協働して受け止めて、第２の支持棒１０４ｂ及び中間支持棒１０４ｃは、第２のセットのパネル１０８ｂを協働して受け止める。図１Ｄは、第１及び第２のセットのパネル１０８ａ，１０８ｂを受け止める中間支持棒１０４ｃの平面図を示す、図１Ｂの部分Ｂの拡大図である。防水の配置を設けるために、それぞれの支持棒１０４ａ〜１０４ｃのベースも、（カバープレート１１０ａ〜１１０ｃを取り外すと露出する）それぞれの凹部と整合するようにＴＰＶタイプのＥＰＤＭのシール１１６の層で補強されることがさらに理解されるべきである。
【００３１】
各個々のパネル１０８は、形状が概略長方形であり、約４ｍｍの最小の厚さを有する押出アルミニウムで作られる。さらに、各パネル１０８は、約２５００ｍｍ（即ち、２．５ｍ）の長さと、約２２０ｍｍの幅と、約２２．８ｋｇの重さとを有する。従って、各パネル１０８は、支持棒１０４ａ〜１０４ｃの間に設置するためのパネル１０８を持ち上げる作業者によって、容易に取り扱い可能である。パネル１０８の上記寸法は、単にこの実施形態に対する一例として提供されているだけであり、限定的に解釈されるべきものではないことが理解されるべきである。洪水バリア１００に用いるのに適した他の適切な寸法でも可能である。さらに、各パネル１０８は、構造的完全性のためのハニカム形状の構造体を備えるように、内部的に配置される。ハニカム形状の構造体は柱状構造体とともに配置され、このことは、好ましいことに、最小の密度、並びに相対的に高い面外の収縮及びせん断の特性を有するパネル１０８をもたらす。具体的にこの場合、（ハニカム状の構造体の）前記柱状構造体は、パネル１０８の構造的完全性を保証するために６ｍｍの厚さの構造体リブの形状になるように配置される。１５．７５ｍの最高水位標（即ち、洪水が到達する想定高さであって、以下に列挙するようなパネル１０８に対するパラメータ値の計算を助けるためにのみ用いられる、高さ）を越えて、各パネル１０８は、（１．０ｍを越える高さに対して、約１０００ｋｇ／ｍ２であるように実際に算定される）１５．７５０ｋｇ／ｍ２の最大水圧に耐えるように、設計されることが理解されるべきである。加えて、支持棒１０４ａ〜１０４ｃに対して約２５００ｍｍの最大間隔（即ち、第１の支持棒１０４ａと中間支持棒１０４ｃとの間の、又は第２の支持棒１０４ｂと中間支持棒１０４ｃとの間の距離が、約２５００ｍｍ）にて、各パネル１０８は、約０．２５９３４ｍｍしか定格パネルのたわみを有さないように、設計されることが理解されるべきである。
【００３２】
さらに、各パネル１０８は、前記パネル１０８の対向する縦方向の縁部にてそれぞれ配置される雄部及び雌部を含む。雄部及び雌部は細長いブラケットとして構成され、各部分はＣ字型の断面積を通常有する。各パネル１０８が支持棒１０４ａ〜１０４ｃの間に設置されるとき、雌部は床に面するように配置され、雄部は反対方向に面するように配置される。図１Ａに示すように、第１及び第２のセットのパネル１０８ａ，１０８ｂは、協働する配置で複数のパネル１０８を含む。具体的には、各パネル１０８は、関連する雄部及び雌部を用いて、（縦方向の縁部にて積載することによって）別のパネル１０８に取り外し自在にかつ協働的に取り付け可能である。
【００３３】
一例として、第１、第２、及び第３のパネル１０８が、下から始まる前記順番で積載されるとする。それに応じて、第１のパネル１０８の雄部は、第２のパネル１０８の雌部内に受け止められ、一方で、第２のパネル１０８の雄部は、第３のパネル１０８の雌部内に受け止められ、当然のことながら同様に続く。この方法において、（洪水の高さを決定する）迫り来る洪水の、推定される／予期される程度によって、（所望の）選択された数のパネル１０８ａ，１０８ｂは、様々な高さの洪水バリア１００を形成するように他方の上に一方を積載自在である。即ち、モジュール式で柔軟な配置のために、パネル１０８は互いに取り付け自在であり、洪水バリア１００を形成するために全てのパネル１０８ａ，１０８ｂを設置する必要はなく、従って、そのような柔軟性を示さない、従来の手動積載可能水門システムに対して有利である。
【００３４】
各パネル１０８は、関連するパネル１０８の全ての（縦方向及び横方向の）縁部にて配置される複数のシール１１８も含む。従って、シール１１８は実質的に縦長のものである。横方向の縁部に配置されるシール１１８は、縦方向の縁部に配置されるシール１１８を横断することが理解されるであろう。よって、パネル１０８の縁部は、この場合にはＴＰＶタイプのＥＰＤＭのシールでもあるシール１１８によって囲まれる。メンテナンスのために必要であれば、シール１１８は、縁部から容易に取り外し可能であるように配置される。要求されるときにシール１１８を図らずも使用不能にしてしまう、人間活動による損傷の可能性に対してガードするため、パネル１０８のシール１１８は、支持棒１０４ａ〜１０４ｃに恒久的に取り付けられるものではないことは理解されるべきである。縦方向の縁部にて、シール１１８は、関連するパネル１０８の雄部及び雌部の内部に隠されており、（上述したようにＣ字型ブラケットとして構成される）雄部及び雌部の開口端部からのみ視認することができる。よって、パネル１０８ａ，１０８ｂが一緒に積載されて洪水バリア１００を形成するとき、パネル１０８の（縦方向の縁部における）関連するシール１１８は、別のパネル１０８の（縦方向の縁部における）関連するシール１１８に対して収縮して、防水アセンブリを設ける。
【００３５】
停止状態において、シール１１８は、概略Ｄ字型の断面を有するように配置されて波形表面を備える。当然のことながら、シール１１８の接触面の全てが波形である必要はないことは理解されるべきである。（別の実施形態において）実際に、シール１１８の特定の必須の表面だけが波形であるように構成される。即ち、シール１１８は、部分的に波形であってもよい。波形表面は、とりわけ、平坦な表面と比較して（洪水の浸入に対して作用する）複数のバリアとして機能するように構成される。平坦な表面を伴う従来のシールは、単一のシーリング面しか備えておらず、使用のオーバータイムにより歪んで又は破損して、望まずも水を浸入させてしまうことがある。この場合、波形表面が支持棒１０４ａ〜１０４ｃ若しくは敷居プレート１０６の接触面に対して作用するときに、又は互いに（即ち、パネル１０８の縦方向の縁部にて配置されるシール１１８の個別に関して）作用するときに、当該波形表面は、（洪水に対する）複数層のバリアとなる。さらに、シール１１８が洪水の流入を防止するために敷居プレート１０６と整合する支持棒１０４ａ〜１０４ｃの狭いコーナ内に圧縮されるときに、シール１１８のＤ字型の断面は有利である。洪水の圧力が複数セットのパネル１０８ａ，１０８ｂを押圧すると、シール１１８は、支持棒１０４ａ〜１０４ｃの接触面に弾力的に作用して、支持棒１０４ａ〜１０４ｃとのより密着したシーリングをもたらすことも理解されるべきである。さらに、波形表面は、パネル１０８を支持棒１０４ａ〜１０４ｃに差し込むときの摩擦を減少させるのにも役立つ。この態様において、波形表面により、（２．５ｍの長さを有する）個々のパネル１０８は、人間が介入することなく、支持棒１０４ａ〜１０４ｃの間を滑り落ちることが実際に可能であることが理解されるべきである。このようにして、波形表面は、差し込みプロセスの間における、所与の量の摩擦力に対する、より良い程度のシーリングを可能にする。
【００３６】
洪水バリア１００は、クイックスナップファスナ（以下、ファスナ）２００も含み、当該ファスナ２００は、入口１０２の床において敷居プレート１０６に向かう下の方向に力を作用することによって、複数セットのパネル１０８ａ，１０８ｂを、支持棒１０４ａ〜１０４ｃに取り外し自在に固定し、選択的に用いられ得る。これにより、当接して隣接するパネル１０８の（縦方向の縁部における）関連するシール１１８を、相互に対して圧縮し、防水の配置を設けるのに、選択的に用いられ得る。パネル１０８を固定するのに一対のファスナ２００が要求されるが、各セットのパネル１０８ａ，１０８ｂに対しては、関連するセット１０８ａ，１０８ｂの最上部のパネル１０８にて一対のファスナ２００のみが用いられるのが好ましい。従って、第１のセットのパネル１０８ａを第１の支持棒１０４ａ及び中間支持棒１０４ｃに固定するために、一対のファスナ２００だけが用いられ、一方、第２のセットのパネル１０８ｂを第２の支持棒１０４ｂ及び中間支持棒１０４ｃに固定するために、別の対のファスナ２００が用いられる。ベースパネル１０８に対して、ファスナ２００の使用は、関連する雌部のシール１１８を、敷居プレート１０６に向かって圧縮する効果を有することが理解されるべきである。一対のファスナ２００が、雄部を伴って構成されるパネル１０８の縦方向の縁部に取り外し自在に取り付けることができることも強調される。具体的には、それぞれのファスナは、パネル１０８の前記縦方向の縁部の対向する端部にて位置付けられる。
【００３７】
各ファスナ２００は、フック部３０２に移動自在に結合されるレバー部３００と、台座部３０４とを含む（図９Ｂを参照）。特に、各ファスナ２００は、二つの安定した位置、即ち、それぞれ、ロック解除位置とロック位置との間で操作可能である。レバー部３００は、フック部３０２との弾性関係を有するように配置され、このことにより、ファスナ２００を、安定したロック解除位置とロック位置との間で操作され得るようにする。サドル部３０６は、台座部３０４のベースから延在し、ファスナ２００がパネル１０８上に配備されるときに、パネル１０８の雄部がサドル部３０６に受け止められるようにする。フック部３０２は、レバー部３００の各々の側に配置される一対の細長いフックアーム３０２ａ，３０２ｂを含む。各フックアーム３０２ａ，３０２ｂは、この例ではテーパ状であるように構成されることが好ましいが、限定的に解釈されるべきではない。使用の際、（ロック解除位置における）ファスナ２００のフック部３０２は、関連する支持棒１０４ａ〜１０４ｃに固定されるために、当該支持棒１０４ａ〜１０４ｃ（の対向する表面）に位置決めされる（面取されて配置され得る）隣接フックプレート３０８に最初にラッチされる。具体的には、フックアーム３０２ａ，３０２ｂのテーパ状の配置により、面取りされたフックプレート３０８との係合が可能になり、完全に安定した係合が保証される。各支持棒１０４ａ〜１０４ｃは、対向する表面における全長に沿って、規則的に離間して配置される複数のフックプレート３０８を伴って構成されることが理解されるべきである。その後、レバー部３００は、台座部３０４に手動で載置されるが、このことには、レバー部３００のフック部３０２との弾性関係により、相当程度の力が要求される。レバー部３００がシート部３０４上に最終的に載置されると、フック部３０２とフックプレート３０８との間の連結は、テンションをかけられて締め付けられ、その結果として、当該連結は、ファスナ２００が所定位置に（即ち、ロック位置に）ロックされるようにし、このことにより、パネル１０８を前記支持棒１０４ａ〜１０４ｃに固定する。従って、ファスナ２００は、従来の解決策に通常関連する冗長な回転又は締め付けのプロセスを要求されずに、パネル１０８を所定箇所に迅速かつ容易にロックダウンすることができるように構成されるのが好ましい。
【００３８】
図２Ａは、図１Ａの線Ｃ−Ｃに沿って得られる洪水バリア１００の断面図であり、線Ｃ−Ｃは第１のセットのパネル１０８ａにある。図２Ｂは、図２Ａの部分Ｅの拡大図であり、各パネル１０８の内部ハニカム形状の構造体をはっきりと見ることができる。図２Ｃは、図２Ａの部分Ｆの拡大図を示す。さらに、図２Ｄは、図１Ａの線Ｃ−Ｃの方向からの等角図であり、図２Ｅは、図２Ｄの部分Ｆ’の拡大図である。
【００３９】
一方、図３Ａは、図１Ａの線Ｂ−Ｂに沿って得られる洪水バリア１００の断面図であり、線Ｂ−Ｂは第２のセットのパネル１０８ｂにある。図３Ｂは、図３Ａの部分Ｇの拡大図であり、図３Ｃは、図３Ａの部分Ｈの拡大図である。
【００４０】
図４Ａ〜図１２は、洪水バリア１００を操作する方法（のそれぞれのステップ）をまとめて示しており、以下に詳細に説明する。図４Ａは、入口１０２の床が（特定の実施形態においては任意であることもある）敷居プレート１０６を伴って予め設置されている、前記方法の第１のステップを示す。符号４００が付された（図４Ａの）矢印は、洪水の進行方向を示していることに留意すべきである。図４Ｂ及び図４Ｃは、図４Ａの部分Ｉ及びＪの拡大図をそれぞれ表しており、クローズ位置にある第２のカバープレート１１０ｂ及び中間カバープレート１１０ｃをそれぞれ示している。
【００４１】
図５Ａは、前記方法の第２のステップを示す。より具体的には、図５Ｂ及び図５Ｃは、図５Ａの部分Ｋ及び部分Ｌの拡大図をそれぞれ示しており、下部の凹部を露出するために、第２のカバープレート１１０ｂ及び中間カバープレート１１０ｃが、取り外しのためフリップオープンされていることをそれぞれ示す。別の実施形態においては、第１、第２のカバープレート１１０ａ，１１０ｂ及び中間カバープレート１１０ｃが、実質的に長方形の形状を有するようにそれぞれ代わりに配置されて、より大きい支持棒（図示せず）を収容するために、それぞれのより広い凹部を下部にてカバーすることも理解されるべきである。第１、第２のカバープレート及び中間カバープレートの別の構成を、符号１１０ａ’，１１０ｂ’，１１０ｃ’とともに図６Ａ〜６Ｃにそれぞれ示す。従って、図６Ａは、前記方法の第２のステップをなお示すが、前述したように別の実施形態に関するものである。従って、図６Ｂ及び図６Ｃは、図６Ａの部分Ｍ及びＮの拡大図をそれぞれ示し、取り外すためにフリップオープンされた、別の第２のカバープレート１１０ｂ’及び中間カバープレート１１０ｃ’をそれぞれ表す。
【００４２】
図７Ａは、第１、第２の支持棒１０４ａ，１０４ｂ及び中間支持棒１０４ｃが、入口１０２の壁１１２及び床に、それぞれの位置において取り付けられる、前記方法の第３のステップを示す。図７Ｂは、図７Ａの部分Ｏの拡大図であり、ここで、第２の支持棒１０４ｂは、二つの、ネジ山付きクロスノブ１１３を用いて（第２の支持棒１０４ｂの固定ブラケット７００を介して）壁１１２に取り付けられて示される。図７Ｃは、図７Ａの部分Ｐの拡大図を示し、ここで、中間支持棒１０４ｃは、別のクロスノブ１１３を用いて床に取り付けられて表される。
【００４３】
第１、第２の支持棒１０４ａ，１０４ｂ及び中間支持棒１０４ｃが、それぞれの位置にしっかりと取り付けられると、個々のパネル１０８は、図８及び図９Ａに表す前記方法の第４及び第５のステップにおいて支持棒１０４ａ〜１０４ｃの間に順次差し込まれる。言うまでもなく、（各セット１０８ａ，１０８ｂの）差し込まれたベースパネル１０８は、防水の配置を保証するために敷居プレート１０６に当接するように配置される。第１及び第２のセットのパネル１０８ａ，１０８ｂのうちの全ての要求されるパネル１０８が、支持棒１０４ａ〜１０４ｃの間の所定箇所に差し込まれると、それぞれの対のファスナ２００は、各セット１０８ａ，１０８ｂのそれぞれの最上部のパネル１０８にて、所定箇所に差し込まれる。説明の簡略化のためだけに、ファスナ２００は、第１及び第２のセットのパネル１０８ａ，１０８ｂのそれぞれのベースパネル１０８上に差し込まれるように図９Ａ、図１０Ａ、及び図１１Ａに表されていることが理解されるべきであるが、しかしながら、この場合の方法は、洪水バリア１００が第１及び第２のセットのパネル１０８ａ，１０８ｂを備え付けられていること（即ち、図１２を参照）を参照して記載されていることが強調されるべきである。
【００４４】
また、図９Ｂ及び図９Ｃは、図９Ａの部分Ｑ及びＲの拡大図をそれぞれ示し、特に、それぞれの支持棒１０４ａ〜１０４ｃの関連するフックプレート３０８と係合するために準備されるファスナ２００を示している。とりわけ、ファスナ２００は、ロック解除位置に配置されている。
【００４５】
図１０Ａは、前記方法の第６のステップを示し、その詳細は、図１０Ａの部分Ｓ及びＴの、それぞれ拡大された図である、図１０Ｂ及び図１０Ｃに示す。具体的には、図１０Ｂ及び図１０Ｃは、ファスナ２００の関連する細長いフックアーム３０２ａ，３０２ｂが、それぞれの支持棒１０４ａ〜１０４ｃのフックプレート３０８と係合していることを示す。
【００４６】
図１１Ａは、前記方法の第７の方法を示し、その詳細は、図１１Ａの部分Ｕ及びＶの、それぞれ拡大された図である、図１１Ｂ及び図１１Ｃに示す。図１１Ｂ及び図１１Ｃには、（それぞれのレバー部３００を、それぞれの台座部３０４に載置するように移動することを介して、フック部３０２にテンションをかけて）ファスナ２００が所定位置にロックされて、パネル１０８を支持棒１０４ａ〜１０４ｃに固定することが示される。よって、ファスナ２００は、ロック位置に配置されている。
【００４７】
図１２は、前記方法の第８のステップを示し、このとき、洪水の迫り来る到着に対する配備のために、（第１及び第２のセットのパネル１０８ａ，１０８ｂが所定位置に積載されると、）所望の高さの洪水バリア１００が最終的にアセンブルされる。
【００４８】
要約すると、洪水バリア１００を操作する方法は、入口１０２にて位置付けられるように支持棒１０４ａ〜１０４ｃを配置するステップと、洪水バリア１００を形成するために一対の支持棒１０４ａ〜１０４ｃの間にパネル１０８ａ，１０８ｂを取り外し自在に配置するステップと、を含み、ここで、各パネル１０８は、建物への洪水の流入に対する防水の配置を設けるために、支持棒１０４ａ〜１０４ｃと整合するように、波形表面を有する複数のシール１１８を含む。洪水バリア１００は、第１及び第２の支持棒１０４ａ，１０４ｂだけを中間支持棒１０４ｃと共に用いるように限定されるものではないことが理解されるべきである。実際には、洪水バリア１００が配備されるべき（建物の）特定の入口の幅に基づいて、要求される数の中間支持棒１０４ｃが、第１及び第２の支持棒１０４ａ，１０４ｂの間に位置付けられ得、洪水バリア１００を集合的に形成するために、各対の支持棒１０４ａ〜１０４ｃは、それぞれのセットのパネル１０８を受け止める。
【００４９】
この方法は、関連するパネル１０８ａ，１０８ｂの対向する端部にファスナ２００を配置して、関連する支持棒１０４ａ〜１０４ｃのそれぞれのフックプレート３０８とそれぞれのフック部３０２を係合するステップと、パネル１０８ａ，１０８ｂを支持棒１０４ａ〜１０４ｃに固定するために、フック部３０２にテンションをかけるようにレバー部３００を操作するステップと、をも含み得る。
【００５０】
本発明を、図面及び前述の説明において詳細に図示し説明してきたが、そのような図示及び説明は、説明のためのもの又は例示のためのものであって限定的なものではないように考慮されるべきである。本発明は、開示した実施形態に限定されない。開示した実施形態に対する他の変形例は、請求項の発明を実施する際に当業者によって理解されて達成され得る。例えば、入口の床が実質的に平坦であると考えられるならば、敷居プレート１０６は必要ではないかもしれない。また、ファスナ２００の使用は任意であり、状況に応じて要求されるときにのみ配備されてもよい。さらに、洪水バリア１００は、大規模洪水制御システム（図示せず）の一部として含まれてもよい。さらに、提案された洪水バリア１００は、洪水バリアとしてアセンブルするために、最低でも一つのパネル１０８を要求する（即ち、少なくとも一つのパネル１０８が必要とされる）。
【図１Ａ】
0006675399.tif 000002
【図１Ｂ】
0006675399.tif 000003
【図１Ｃ】
0006675399.tif 000004
【図１Ｄ】
0006675399.tif 000005
【図１Ｅ】
0006675399.tif 000006
【図１Ｆ】
0006675399.tif 000007
【図２Ａ】
0006675399.tif 000008
【図２Ｂ】
0006675399.tif 000009
【図２Ｃ】
0006675399.tif 000010
【図２Ｄ】
0006675399.tif 000011
【図２Ｅ】
0006675399.tif 000012
【図３Ａ】
0006675399.tif 000013
【図３Ｂ】
0006675399.tif 000014
【図３Ｃ】
0006675399.tif 000015
【図４Ａ】
0006675399.tif 000016
【図４Ｂ】
0006675399.tif 000017
【図４Ｃ】
0006675399.tif 000018
【図５Ａ】
0006675399.tif 000019
【図５Ｂ】
0006675399.tif 000020
【図５Ｃ】
0006675399.tif 000021
【図６Ａ】
0006675399.tif 000022
【図６Ｂ】
0006675399.tif 000023
【図６Ｃ】
0006675399.tif 000024
【図７Ａ】
0006675399.tif 000025
【図７Ｂ】
0006675399.tif 000026
【図７Ｃ】
0006675399.tif 000027
【図８】
0006675399.tif 000028
【図９Ａ】
0006675399.tif 000029
【図９Ｂ】
0006675399.tif 000030
【図９Ｃ】
0006675399.tif 000031
【図１０Ａ】
0006675399.tif 000032
【図１０Ｂ】
0006675399.tif 000033
【図１０Ｃ】
0006675399.tif 000034
【図１１Ａ】
0006675399.tif 000035
【図１１Ｂ】
0006675399.tif 000036
【図１１Ｃ】
0006675399.tif 000037
【図１２】
0006675399.tif 000038